(57)【要約】      （修正有）【課題】断熱箱体の幅を広げることなく冷却器を幅広に形成することを可能とする冷蔵庫を提供する。【解決手段】冷蔵庫は、上下方向に沿って配置された冷蔵室１７、変温室１８および冷凍室を有している。更に、冷蔵室１７等に送風される冷気を冷却する冷却器２０と、冷却器２０が収納される冷却室２１と、冷気が流通する冷蔵室送風路等と、冷蔵室１７等から冷却室２１に帰還する冷気が流通する冷蔵室帰還風路２５等と、を具備している。更に、冷蔵室送風路等および冷蔵室帰還風路２５等を、冷却室２１と変温室１８とを区切る冷却室仕切部材３０の内部に形成している。【選択図】図４
2019045096.tif 000002
【特許請求の範囲】
【請求項１】
上下方向に沿って配置された複数の貯蔵室と、前記貯蔵室に送風される冷気を冷却する冷却器と、前記冷却器が収納される冷却室と、前記貯蔵室に送風される前記冷気が流通する送風路と、前記貯蔵室から前記冷却室に帰還する前記冷気が流通する帰還風路と、を具備し、
前記送風路および前記帰還風路を、前記冷却室と前記貯蔵室とを区切る冷却室仕切部材の内部に形成することを特徴とする冷蔵庫。
【請求項２】
前記貯蔵室は、冷蔵室と、庫内温度を調整できる変温室と、を有し、
前記送風路は、前記冷蔵室に送風される前記冷気が流通する冷蔵室送風路と、前記変温室に送風される前記冷気が流通する変温室送風路と、を有し、
前記冷蔵室送風路には冷蔵室ダンパが介装され、前記変温室送風路には変温室ダンパが介装されることを特徴とする請求項１に記載の冷蔵庫。
【請求項３】
前記貯蔵室は、冷蔵室と、庫内温度を調整できる変温室と、を有し、
前記帰還風路は、前記冷蔵室から前記冷却室に帰還する前記冷気が流通する冷蔵室帰還風路と、前記変温室から前記冷却室に帰還する前記冷気が流通する変温室帰還風路と、を有し、
前記冷蔵室帰還風路および前記変温室帰還風路は、両者が独立した状態で、前記冷却室の下方部分まで延在することを特徴とする請求項１に記載の冷蔵庫。
【請求項４】
前記冷却室と前記貯蔵室との間に存在する前記冷却室仕切部材は、前記帰還風路の前記冷却室側は、前記貯蔵室側よりも厚く形成されることを特徴とする請求項１から請求項３の何れかに記載の冷蔵庫。
【請求項５】
前記貯蔵室は、上方から、冷蔵室、変温室および冷凍室を有し、
前記冷却室から前記冷蔵室に送風される前記冷気が流通する冷蔵室送風路、前記冷却室から前記変温室に送風される前記冷気が流通する変温室送風路、前記冷蔵室から前記冷却室に帰還する前記冷気が流通する冷蔵室帰還風路、および、前記変温室から前記冷却室に帰還する前記冷気が流通する変温室帰還風路を、前記冷却室仕切部材の内部に形成することを特徴とする請求項１に記載の冷蔵庫。
【請求項６】
前記冷却室から前記冷凍室に送風される前記冷気が流通する冷凍室送風路、および、前記冷凍室から前記冷却室に帰還する前記冷気が流通する冷凍室帰還風路、を、前記冷却室よりも下方に形成することを特徴とする請求項５に記載の冷蔵庫。
【請求項７】
前記複数の貯蔵室がその内部に形成される断熱箱体と、
前記複数の貯蔵室を塞ぐように、前記断熱箱体に対して開閉可能に取り付けられた断熱扉と、
前記断熱箱体の内部において内部断熱扉で閉鎖される冷凍室と、を更に具備し、
前記冷却室仕切部材の内部に形成された前記送風路を流通した前記冷気が、前記冷凍室に送風されることを特徴とする請求項１から請求項６の何れかに記載の冷蔵庫。
【発明の詳細な説明】
【技術分野】
【０００１】
本発明は、冷蔵庫に関し、特に、冷蔵温度帯域の貯蔵室を冷却室の前方に形成する冷蔵庫に関する。
【背景技術】
【０００２】
一般的な冷蔵庫は、断熱箱体の内部に冷凍室や冷蔵室などの複数の貯蔵室を有し、冷凍サイクルの冷却器で冷却した冷気を各貯蔵室に送風することで、各貯蔵室の庫内温度が所定の温度帯域となるように冷却を行っている。具体的には、冷凍サイクルの蒸発器である冷却器で冷却室内の冷気を冷却し、送風路を経由して冷気を各貯蔵室に送風する。各貯蔵室を冷却した冷気は、帰還風路を経由して冷却室に帰還する。このように、各貯蔵室に冷気を循環させることで、各貯蔵室を所定の温度帯域に冷却していた。
【０００３】
特許文献１に、冷蔵庫に於ける冷気の経路の一例が記載されている。この文献の図３およびその説明箇所を参照すると、冷却室に収納された冷却器で冷却された冷気は送風ファンの送風力により、各送風路を経由して、冷蔵室、冷凍室および野菜室に送風される。これにより、冷蔵室等は所定の温度帯域に冷却される。また、冷蔵室、冷凍室および野菜室を冷却した冷気は、帰還風路を経由して冷却室に帰還する。
【０００４】
ここで、これらの送風路および帰還風路の一部は、冷却器の側方に配設されている。具体的には、最上段の冷蔵室から冷却室に帰還する冷気が通過する冷蔵室帰還風路、および、冷却室から再下段の野菜室に送風される冷気が通過する野菜室送風路が、冷却器の側方に配設されている。そのように、冷蔵室帰還風路および野菜室送風路を冷却器の側方に形成することで、中段に形成される冷凍室を奥側に延伸させることができ、貯蔵室として用いることができる有効容積を増大させることができた。
【先行技術文献】
【特許文献】
【０００５】
【特許文献１】特許第６０２６９６６号公報
【発明の概要】
【発明が解決しようとする課題】
【０００６】
しかしながら、特許文献１に記載されたように、送風路および帰還風路を冷却器の側方に形成すると、冷却器を幅広に形成することができず、所定の冷却能力を得るためには、冷却器を縦方向に長く形成する必要があった。冷却器が縦方向に長く延びると、冷却器の上方の空間を有効に活用することができない課題があった。また、送風路および帰還風路を各貯蔵室と断熱するために、送風路および帰還風路を断熱発泡材で保護する必要があり、これにより冷却器の幅が更に短くなってしまう恐れがあった。
【０００７】
本発明は、上記の事情に鑑みてなされたものであり、その目的とするところは、断熱箱体の幅を広げることなく冷却器を幅広に形成することを可能とする冷蔵庫を提供することにある。
【課題を解決するための手段】
【０００８】
本発明の冷蔵庫は、上下方向に沿って配置された複数の貯蔵室と、前記貯蔵室に送風される冷気を冷却する冷却器と、前記冷却器が収納される冷却室と、前記貯蔵室に送風される前記冷気が流通する送風路と、前記貯蔵室から前記冷却室に帰還する前記冷気が流通する帰還風路と、を具備し、前記送風路および前記帰還風路を、前記冷却室と前記貯蔵室とを区切る冷却室仕切部材の内部に形成することを特徴とする。
【０００９】
本発明の冷蔵庫では、前記貯蔵室は、冷蔵室と、庫内温度を調整できる変温室と、を有し、前記送風路は、前記冷蔵室に送風される前記冷気が流通する冷蔵室送風路と、前記変温室に送風される前記冷気が流通する変温室送風路と、を有し、前記冷蔵室送風路には冷蔵室ダンパが介装され、前記変温室送風路には変温室ダンパが介装されることを特徴とする。
【００１０】
本発明の冷蔵庫では、前記貯蔵室は、冷蔵室と、庫内温度を調整できる変温室と、を有し、前記帰還風路は、前記冷蔵室から前記冷却室に帰還する前記冷気が流通する冷蔵室帰還風路と、前記変温室から前記冷却室に帰還する前記冷気が流通する変温室帰還風路と、を有し、前記冷蔵室帰還風路および前記変温室帰還風路は、両者が独立した状態で、前記冷却室の下方部分まで延在することを特徴とする。
【００１１】
本発明の冷蔵庫では、前記冷却室と前記貯蔵室との間に存在する前記冷却室仕切部材は、前記帰還風路の前記冷却室側は、前記貯蔵室側よりも厚く形成される。
【００１２】
本発明の冷蔵庫では、前記貯蔵室は、上方から、冷蔵室、変温室および冷凍室を有し、前記冷却室から前記冷蔵室に送風される前記冷気が流通する冷蔵室送風路、前記冷却室から前記変温室に送風される前記冷気が流通する変温室送風路、前記冷蔵室から前記冷却室に帰還する前記冷気が流通する冷蔵室帰還風路、および、前記変温室から前記冷却室に帰還する前記冷気が流通する変温室帰還風路を、前記冷却室仕切部材の内部に形成することを特徴とする。
【００１３】
本発明の冷蔵庫では、前記冷却室から前記冷凍室に送風される前記冷気が流通する冷凍室送風路、および、前記冷凍室から前記冷却室に帰還する前記冷気が流通する冷凍室帰還風路、を、前記冷却室よりも下方に形成することを特徴とする。
【００１４】
本発明の冷蔵庫では、前記複数の貯蔵室がその内部に形成される断熱箱体と、前記複数の貯蔵室を塞ぐように、前記断熱箱体に対して開閉可能に取り付けられた断熱扉と、前記断熱箱体の内部において内部断熱扉で閉鎖される冷凍室と、を更に具備し、前記冷却室仕切部材の内部に形成された前記送風路を流通した前記冷気が、前記冷凍室に送風されることを特徴とする。
【発明の効果】
【００１５】
本発明の冷蔵庫は、上下方向に沿って配置された複数の貯蔵室と、前記貯蔵室に送風される冷気を冷却する冷却器と、前記冷却器が収納される冷却室と、前記貯蔵室に送風される前記冷気が流通する送風路と、前記貯蔵室から前記冷却室に帰還する前記冷気が流通する帰還風路と、を具備し、前記送風路および前記帰還風路を、前記冷却室と前記貯蔵室とを区切る冷却室仕切部材の内部に形成することを特徴とする。従って、送風路および帰還風路が、冷却器の側方に配置されないことから、冷却器の幅を充分に大きくすることで、冷却器の高さ方向に於ける寸法を小さくすることができる。よって、冷却器の上方の空間に送風ファンを配置する等することで、冷却器の上方の空間を有効に用いることができる。
【００１６】
本発明の冷蔵庫では、前記貯蔵室は、冷蔵室と、庫内温度を調整できる変温室と、を有し、前記送風路は、前記冷蔵室に送風される前記冷気が流通する冷蔵室送風路と、前記変温室に送風される前記冷気が流通する変温室送風路と、を有し、前記冷蔵室送風路には冷蔵室ダンパが介装され、前記変温室送風路には変温室ダンパが介装されることを特徴とする。従って、冷蔵室送風路と変温室送風路とを別経路とし、それぞれの送風路にダンパを介装することで、各々の庫内温度を個別に調整することができる。特に、変温室の庫内温度を調整することから、冷蔵室送風路と変温室送風路とを別個に送風量を調整することで、冷蔵室の庫内温度を所定の冷蔵温度帯域としつつ、変温室の庫内温度を調整することができる。
【００１７】
本発明の冷蔵庫では、前記貯蔵室は、冷蔵室と、庫内温度を調整できる変温室と、を有し、前記帰還風路は、前記冷蔵室から前記冷却室に帰還する前記冷気が流通する冷蔵室帰還風路と、前記変温室から前記冷却室に帰還する前記冷気が流通する変温室帰還風路と、を有し、前記冷蔵室帰還風路および前記変温室帰還風路は、両者が独立した状態で、前記冷却室の下方部分まで延在することを特徴とする。従って、冷蔵室帰還風路と変温室帰還風路とが、両者が独立した状態で冷却器の下方部分まで延在することで、冷蔵室から冷却室に帰還する比較的高温な冷気が変温室に不用意に流入してしまうことが抑止される。よって、変温室の庫内温度が不用意に変動してしまうことが抑止される。
【００１８】
本発明の冷蔵庫では、前記冷却室と前記貯蔵室との間に存在する前記冷却室仕切部材は、前記帰還風路の前記冷却室側は、前記貯蔵室側よりも厚く形成される。従って、比較的低温な冷気が流通する送風路と貯蔵室とを区画する冷却室仕切部材を厚くすることで、送風路と貯蔵室との温度差に起因して、貯蔵室の内壁で結露が発生することを抑止することができる。
【００１９】
本発明の冷蔵庫では、前記貯蔵室は、上方から、冷蔵室、変温室および冷凍室を有し、前記冷却室から前記冷蔵室に送風される前記冷気が流通する冷蔵室送風路、前記冷却室から前記変温室に送風される前記冷気が流通する変温室送風路、前記冷蔵室から前記冷却室に帰還する前記冷気が流通する冷蔵室帰還風路、および、前記変温室から前記冷却室に帰還する前記冷気が流通する変温室帰還風路を、前記冷却室仕切部材の内部に形成することを特徴とする。従って、変温室および冷凍室と冷却室とを連通する各風路を、冷却器の前方に配置することで、冷却器の幅を充分に長くし、冷却器の上方の部分を有効に活用することができる。
【００２０】
本発明の冷蔵庫では、前記冷却室から前記冷凍室に送風される前記冷気が流通する冷凍室送風路、および、前記冷凍室から前記冷却室に帰還する前記冷気が流通する冷凍室帰還風路、を、前記冷却室よりも下方に形成することを特徴とする。従って、冷凍室送風路および冷凍室帰還風路が、冷却室の前方に形成されないので、冷却室の前方の空間に、冷蔵室等と冷却室とを連通させる風路を形成することができる。
【００２１】
本発明の冷蔵庫では、前記複数の貯蔵室がその内部に形成される断熱箱体と、前記複数の貯蔵室を塞ぐように、前記断熱箱体に対して開閉可能に取り付けられた断熱扉と、前記断熱箱体の内部において内部断熱扉で閉鎖される冷凍室と、を更に具備し、前記冷却室仕切部材の内部に形成された前記送風路を流通した前記冷気が、前記冷凍室に送風されることを特徴とする。従って、断熱扉で複数の貯蔵室を開閉可能に閉鎖することで、ユーザは食品等の貯蔵物を貯蔵室から容易に取り出すことができる。
【図面の簡単な説明】
【００２２】
【図１】本発明の実施形態に係る冷蔵庫の斜視図である。
【図２】本発明の実施形態に係る冷蔵庫を示す図であり、冷蔵庫の各貯蔵庫等の構成を示す側方断面図である。
【図３】本発明の実施形態に係る冷蔵庫を示す図であり、冷蔵庫の下方部分を拡大して示す側方断面図である。
【図４】本発明の実施形態に係る冷蔵庫を示す図であり、冷蔵庫の上下方向略中央部分を拡大して示す側方断面図である。
【図５】本発明の実施形態に係る冷蔵庫を示す図であり、冷蔵庫の風路の構成を示す正面図である。
【図６】本発明の実施形態に係る冷蔵庫を示す図であり、冷蔵庫の風路の構成を示す断面図である。
【図７】本発明の実施形態に係る冷蔵庫を示す図であり、冷蔵庫の他の箇所の風路の構成を示す断面図である。
【発明を実施するための形態】
【００２３】
以下、本発明の実施形態に係る冷蔵庫１０を図面に基づき詳細に説明する。以下の説明では、上下前後左右の各方向を適宜用いるが、左右とは冷蔵庫１０を前方から見た場合の左右を示す。
【００２４】
図１は、本発明の実施形態に係る冷蔵庫１０の概略構造を示す斜視図である。図１に示すように、冷蔵庫１０は、本体としての断熱箱体１１を備え、この断熱箱体１１の内部に食品等を貯蔵する貯蔵室が複数形成されている。
【００２５】
断熱箱体１１の前面開口は、断熱扉１５で開閉可能な状態で閉鎖されている。断熱扉１５は、例えば、右側の上下端部が図示しないヒンジ構造を介して、断熱箱体１１により回転可能に支持されている。
【００２６】
図２を参照して、冷蔵庫１０の構成を詳述する。図２は、冷蔵庫１０の側方断面図である。
【００２７】
冷蔵庫１０の本体である断熱箱体１１は、前面が開口する鋼板製の外箱１２と、この外箱１２内に間隙を持たせて配設され、前面が開口する合成樹脂製の内箱１３とから構成されている。外箱１２と内箱１３との間隙には、発泡ポリウレタン等から成る断熱材１４が充填発泡されている。
【００２８】
上記した断熱箱体１１の内部に形成された貯蔵室１６は、上方から、冷蔵室１７、変温室１８および冷凍室１９を有している。冷蔵室１７と変温室１８とは、前後方向に延びる変温室仕切部材３１で区切られている。変温室１８と冷凍室１９とは、前後方向に延びる冷凍室仕切部材３２で区切られている。変温室仕切部材３１および冷凍室仕切部材３２は、断熱箱体１１と同様の断熱構造を有している。また、冷蔵室１７、変温室１８および冷凍室１９の内部には、これらの庫内温度を計測する温度センサが配設されても良い。後述する演算装置は、これらの温度センサからの出力に基づいて、後述する冷凍サイクル等を制御する。更にまた、断熱扉１５の後面の周囲には、枠状の扉パッキング６５が形成されている。扉パッキング６５が、断熱扉１５の後面と断熱箱体１１の前方開口との間に配置されることで、貯蔵室１６の気密性が確保されている。
【００２９】
冷蔵室１７の下方部分および変温室１８と、その後方に形成される冷却室２１とは、冷却室仕切部材３０で仕切られている。冷却室仕切部材３０も、断熱箱体１１と同様の断熱構造を有している。即ち、冷却室仕切部材３０の内部には、発泡断熱材が充填されている。本形態では、後述するように、冷却室仕切部材３０の内部に各送風路を形成している。
【００３０】
変温室１８の後方には冷却室２１が形成されており、冷却室２１には冷却器２０が内蔵されている。冷却器２０は、左右方向に並べられた複数の放熱フィンと、この放熱フィンを貫通する冷媒パイプから成るフィンアンドチューブ型である。冷却器２０は、圧縮機３３、図示しない放熱器および膨張手段と冷媒配管を介して接続されることで、蒸気圧縮式の冷凍サイクルを構成している。また、冷蔵庫１０は、図示しない制御装置を備えており、この制御装置は、センサ類からの入力値を基に所定の演算処理を実行し、圧縮機３３等の各構成機器や後述するダンパの開閉を制御する。
【００３１】
冷却室２１を前方から仕切る仕切板５６に設けた開口には送風ファン２８が取り付けられている。仕切板５６の上方部分は、上方に向かって後方に傾斜する傾斜面であり、送風ファン２８はこの傾斜面に取り付けられている。よって、送風ファン２８も、その上方部分が後方に向かって傾斜するように傾斜配置されている。また、送風ファン２８は、冷却器２０の上方に配置されている。本実施形態では、冷凍室１９の後方に冷却室２１を配設していないので、冷凍室１９の奥行方向の寸法を十分に確保し、冷凍室１９の容量を大きくすることができる。
【００３２】
冷蔵室１７の内部には、冷蔵室１７の内部を上下方向に区切る板材から成る棚４４が複数配置されている。また、冷蔵室１７の最下部には、収納容器４５が前後方向に引き出し可能に配置されている。
【００３３】
変温室１８の内部には、前後方向に引き出し可能な収納容器４６が配置されており、更に、収納容器４６の内部上方には、収納容器４６とは別に前後方向に引き出し可能な内部収納容器４９が配置されている。変温室１８の庫内温度は、冷蔵庫１０に備えられた操作部をユーザが操作することで、例えば、冷蔵温度帯域である０℃以上５℃以下の範囲で調整することができる。
【００３４】
冷凍室１９の前方開口は、その庫内を冷蔵室１７および変温室１８と分離するための内部断熱扉５０で閉鎖されている。内部断熱扉５０は、断熱扉１５と同様に、内部に発泡樹脂等の断熱材料が充填された断熱構造を有している。内部断熱扉５０は、前後方向に引き出すことができる扉である。
【００３５】
上記した送風ファン２８で送風された冷気は、冷却室２１と各貯蔵室とを区画する冷却室仕切部材３０の内部に形成された各風路を流通する。ここでは、冷却室２１の前方に、送風ファン２８で送風された冷気が最初に流通する主送風路２９が形成されている。主送風路２９から各送風路に冷気が送風される。また、冷蔵室１７に向けて送風される冷気が流通する冷蔵室送風路２２、および、冷凍室１９に向けて送風される冷気が流通する冷凍室送風路２４が、冷却室仕切部材３０の内部に形成されている。冷蔵室送風路２２を経由して送風された冷気は、送風口４３から冷蔵室１７に吹き出される。また、冷蔵室送風路２２には冷蔵室ダンパ３６が介装されている。一方、冷凍室送風路２４を経由して送風された冷気は、送風口４７から冷凍室１９に送風される。冷凍室１９を冷却した冷気は、冷凍室帰還風路２７を経由して冷却室２１に帰還する。各送風路および帰還風路の詳細は、図５を参照して後述する。
【００３６】
冷却室２１の内部に於いて冷却器２０の下方には、除霜ヒータ５４が配設されている。除霜ヒータ５４は、冷却器２０に付着した霜を除去するためのヒータである。除霜ヒータ５４の下方には、除霜により生じる除霜水を暫定的に貯留するための露受皿５５が配置されている。また、冷却室２１の下方には、除霜水が貯留される蒸発皿５２が配置されている。蒸発皿５２は圧縮機３３の近傍に配設されている。
【００３７】
冷蔵庫１０の運転に伴い、冷却器２０の着霜が一定以上になると、図示しない演算装置は、圧縮機３３および送風ファン２８を停止し、各ダンパを閉じ、除霜ヒータ５４に電流を供給することで、冷却室２１の室内温度を上昇させ、冷却器２０に付着した霜を融解する。霜が融解することで発生した除霜水は、露受皿５５に暫定的に貯留された後に、蒸発皿５２に移送される。蒸発皿５２に貯留された除霜水は、圧縮機３３が運転される際に発生する熱により蒸発する。除霜行程が終了したら、図示しない制御装置は、除霜ヒータ５４への通電を終了し、各貯蔵室が所定の温度帯域となるように、圧縮機３３、送風ファン２８および各ダンパを運転する。
【００３８】
図３を参照して、冷凍室１９の風路に関して詳述する。上記したように、冷凍室１９には、主送風路２９、冷凍室送風路２４および送風口４７を介して、冷却室２１から冷気が送風される。送風口４７から、冷凍室１９の収納容器５１の内部に吹き出された冷気は、収納容器５１の内部を冷却する。その後、冷気は、収納容器５１の前面部分を部分的に開口することで形成された開口部６３から、収納容器５１と内部断熱扉５０との間に進入し、収納容器５１の下面と冷凍室１９の下面との間隙を、後方に向かって流通する。更にその後、冷気は、収納容器５１の後面と冷凍室１９の後面との間を、上方に向かって流通し、帰還口６０に到達する。帰還口６０に到達した冷気は、冷凍室帰還風路２７を経由して、除霜ヒータ５４の下方から冷却室２１に帰還する。また、内部断熱扉５０の後方主面の周辺部には、内部断熱扉パッキング６６が配設されている。内部断熱扉５０で冷凍室１９の前方開口を塞いだ際に、内部断熱扉５０の後面と冷凍室１９の前方開口との間に内部断熱扉パッキング６６が介在することで、冷凍室１９の密閉性を確保することができる。本実施形態では、冷凍室１９の断熱性を高めるために、内部断熱扉５０を冷凍室１９側に引き寄せるための磁石は配設されていない。内部断熱扉５０と冷凍室１９の前方開口との密着性は、内部断熱扉５０を後方に向かって付勢する図示しない付勢手段を配設し、内部断熱扉５０を冷凍室１９の前方開口に当接させることで確保されている。
【００３９】
本実施形態では、冷却室２１と冷凍室１９とを連通するダクト６２を区画板材５９で区画することで、ダクト６２の前方部分に冷凍室送風路２４を形成し、ダクト６２の後方部分に冷凍室帰還風路２７を形成している。区画板材５９は、その上端が仕切板５６と連続する合成樹脂から成る板材である。冷却室２１から冷凍室１９に送風される送風冷気と、冷凍室１９から冷却室２１に帰還する帰還冷気との温度差は小さい。よって、冷凍室送風路２４と冷凍室帰還風路２７とを、断熱機能を有さない板状の区画板材５９で区画することができる。更に、冷凍室送風路２４および冷凍室帰還風路２７は、冷却室２１よりも下方に配置されている。このようにすることで、冷凍室送風路２４および冷凍室帰還風路２７を、冷却室２１の前方に形成される冷却室仕切部材３０の内部に形成する必要が無いことから、冷却室仕切部材３０の断熱性を充分に確保することができる。
【００４０】
冷凍室送風路２４の前方部分は、冷凍室仕切部材３２の下面と区画板材５９とで挟まれる空間として形成されている。また、冷凍室送風路２４の前端部分には、区画板材５９を部分的に開口した送風口４７が形成されている。送風口４７をこのように前方部分に形成することで、送風口４７から吹き出される冷気を冷凍室１９の前方領域まで行き渡らせることができる。また、冷凍室１９を冷却した冷気が帰還する帰還口６０は、送風口４７よりも後方に形成されている。このようにすることで、送風口４７から前方に向かって吹き出された冷気を、後方まで充分に行き渡らせた後に、帰還口６０から冷却室２１に帰還させることができる。
【００４１】
区画板材５９の後方部分から連続して下方に延在する下方壁部６１が形成されている。下方壁部６１も、区画板材５９と同様に、合成樹脂から成る板材である。下方壁部６１は、収納容器５１よりも後方に形成されている。また、下方壁部６１は、冷凍室１９の後面６４の前方下端よりも後方に形成されている。更にまた、下方壁部６１の下端は、収納容器５１の後方上端よりも、下方まで延在している。このことから、冷凍室１９を冷却した冷気は、傾斜する後面６４に沿って上方に進行した後に、下方壁部６１に沿って帰還口６０から冷凍室帰還風路２７を経由し、スムーズに冷却室２１に帰還する。
【００４２】
図４を参照して、冷蔵室１７および変温室１８の断面構成を更に説明する。この図は、変温室１８が形成される部分に於ける冷蔵庫１０の側方断面図である。
【００４３】
上記したように、冷蔵室１７および変温室１８と冷却室２１とは、冷却室仕切部材３０で区画されると共に断熱されている。そして、冷却室仕切部材３０の内部に、冷蔵室１７から冷却室２１に帰還する帰還冷気が流通する冷蔵室帰還風路２５が形成されている。冷蔵室帰還風路２５は、冷却室仕切部材３０の上端から下端に至るまで、曲折形成されている。
【００４４】
冷蔵室帰還風路２５の上端側の部分には、冷蔵室１７から帰還冷気が流れ込む帰還口３９が形成されている。また、冷蔵室帰還風路２５の中間部分にも、冷蔵室１７から帰還冷気が流れ込む別の帰還口３９が形成されている。更に、冷蔵室帰還風路２５の下端部分は、冷却室２１の下端に繋がる帰還口３８が形成されている。ここで、帰還口３８に於いては、帰還口４１を経由して帰還する変温室１８からの帰還冷気が流通する変温室帰還風路２６（図５参照）と合流する。変温室帰還風路２６は図５を参照して後述する。
【００４５】
冷蔵室１７の庫内を冷却した後の帰還冷気は、帰還口３９から冷蔵室帰還風路２５に流入した後に、冷蔵室帰還風路２５の内部を下方に向かって流通し、帰還口３８を経由して冷却室２１に帰還する。帰還口３８に於いて、変温室１８から帰還する帰還冷気と合流する。
【００４６】
また、冷凍室仕切部材３２は後方まで延伸されており、その上面は露受皿５５を構成している。冷凍室仕切部材３２と露受皿５５とを一体の中仕切構造とすることで、冷蔵庫１０の全体的構成を簡素化でき、更に、露受皿５５に暫定的に貯留される除霜水が漏出することを防止することができる。
【００４７】
図５を参照して、冷蔵庫１０に形成される各風路を詳述する。この図は、各風路を示す正面図である。
【００４８】
冷却器２０が配設される冷却室２１は、変温室１８の後方に形成されている。ここで、冷却器２０は左右方向に幅広に形成されており、冷却室２１の側方には、風路は形成されてない。よって、本実施形態では、冷却器２０を左右方向に幅広に形成することができ、冷却器２０の上下方向の高さを低くすることができる。
【００４９】
冷却器２０で冷却された冷気が各貯蔵室に向かって送風される送風路を説明する。送風路は、送風ファン２８の前方に形成された主送風路２９と、冷蔵室１７に送風される冷気が流通する冷蔵室送風路２２と、変温室１８に向かって送風される冷気が流通する変温室送風路２３と、冷凍室１９に向かって送風される冷気が流通する冷凍室送風路２４と、を有している。
【００５０】
冷蔵室送風路２２は主送風路２９から上方に向かって延びており、冷蔵室送風路２２の上方部分に形成された複数の送風口４３から、冷蔵室１７に冷気が吹き出される。また、冷蔵室送風路２２の途中部分には冷蔵室ダンパ３６が介装されている。図示しない制御装置が冷蔵室ダンパ３６を開くと、冷蔵室送風路２２を経由して冷気が冷蔵室１７に送風される。一方、図示しない制御装置が冷蔵室ダンパ３６を閉じると、冷蔵室送風路２２を経由して冷気が冷蔵室１７に送風されない。
【００５１】
変温室送風路２３は、冷蔵室送風路２２の左方側で、主送風路２９から上方に向かって延びており、その中間部分が左方向に向かって延び、更に、下方に向かって延伸している。また、変温室送風路２３の途中部分に変温室ダンパ３７が介装されている。図示しない制御装置が変温室ダンパ３７を開くと、変温室送風路２３および送風口４０を経由して冷気が変温室１８に送風される。一方、図示しない制御装置が変温室ダンパ３７を閉じると、変温室送風路２３を経由して冷気が変温室１８に送風されない。
【００５２】
本実施形態では、上記したように、冷蔵室１７と変温室１８とで、個別にダンパを介装することで、冷蔵室１７および変温室１８の庫内温度を精密に制御することができる。
【００５３】
冷凍室送風路２４は、図２に示したように、主送風路２９の下端から冷凍室１９の上端付近まで形成された風路である。冷凍室送風路２４には上記したダンパは介装されていない。
【００５４】
各貯蔵室を冷却した冷気が冷却室２１に帰還する帰還風路を説明する。帰還風路は、冷蔵室帰還風路２５と、変温室帰還風路２６と、冷凍室帰還風路２７と、を有している。
【００５５】
冷蔵室帰還風路２５は、冷蔵庫１０の右端付近に形成されている。また、冷蔵室帰還風路２５は、冷蔵室１７の下方部分から冷却室２１の下端付近に至るまで延伸している。冷蔵室帰還風路２５の上端部と中間部に、冷蔵室１７から冷蔵室帰還風路２５に冷気が流入する帰還口３９が形成されている。また、冷蔵室帰還風路２５の下端には、冷蔵室帰還風路２５を流通した冷気が冷却室２１に帰還する帰還口３８が形成されている。
【００５６】
変温室帰還風路２６は、左右方向に於いて、主送風路２９と、冷蔵室帰還風路２５との間に配置されており、その上端に変温室１８から冷気が流入する帰還口４１が形成されている。変温室帰還風路２６の下端は、冷蔵室帰還風路２５と共に、帰還口３８に繋がっている。
【００５７】
本実施形態では、冷蔵室帰還風路２５と変温室送風路２３とを、個別の帰還風路として形成している。仮に、冷蔵室帰還風路２５と変温室送風路２３とを、一体化した一つの帰還風路として形成した場合、この帰還風路を経由して冷蔵室１７からの帰還冷気が変温室１８に不用意に流入し、変温室１８の庫内温度を好適に調節できない恐れがある。本実施形態では、冷蔵室帰還風路２５と変温室送風路２３とを、個別の帰還風路として形成しているため、冷蔵室１７から帰還する冷気が変温室１８に流入することがなく、変温室１８の庫内温度を精密に調整することができる。
【００５８】
冷凍室帰還風路２７は、上記した冷凍室送風路２４の直下に形成されており、帰還口６０から冷凍室帰還風路２７に流入した冷気は冷却室２１に帰還する。本実施形態では、図３に示したように、一つのダクト６２を区画板材５９で区切ることで、冷凍室送風路２４および冷凍室帰還風路２７を形成している。
【００５９】
本実施形態では、上記したように、冷蔵室１７、変温室１８および冷凍室１９は、個別の冷却回路により庫内温度がコントロールされている。よって、冷蔵室１７、変温室１８および冷凍室１９に送風されるべき冷気が、他の貯蔵室に不用意に送風されることがない。よって、冷蔵室１７、変温室１８および冷凍室１９の各庫内温度を、所定の範囲に精密に制御することができる。
【００６０】
図６を参照して、上記した風路の断面構成を説明する。この図は、図５におけるＡ−Ａ断面における冷蔵庫１０の断面図である。即ち、この図は、送風ファン２８が配設される部分に於ける断面図である。
【００６１】
この断面図を参照して、冷却器２０が収納される冷却室２１と、その前方に形成される変温室１８とは、冷却室仕切部材３０で仕切られている。これにより、運転時には−数十℃となる冷却室２１と、０℃以上５℃以下で庫内温度が調整される変温室１８とを、断熱することができる。よって、変温室１８の庫内温度を所定の温度帯域に好適に調整することができ、更には、変温室１８の内部側壁に結露が発生することを抑止できる。
【００６２】
冷却室仕切部材３０は、その前方部分を構成する板状の仕切板材５７と、その後方部分を構成する仕切板材５８とから構成されている。仕切板材５７、５８は、その内部に発泡樹脂等の断熱材が充填された断熱構造を有している。
【００６３】
冷却室仕切部材３０の内部に、変温室送風路２３、変温室帰還風路２６および冷蔵室帰還風路２５が形成されている。変温室送風路２３、変温室帰還風路２６および冷蔵室帰還風路２５は、仕切板材５７と仕切板材５８との間隙として形成されている。具体的には、仕切板材５７の後面を前方に向かって溝状に窪ませることで、変温室送風路２３、変温室帰還風路２６および冷蔵室帰還風路２５が形成されている。冷却室仕切部材３０の内部に、これらの風路を形成することで、冷却器２０の側方に風路を形成する必要がないことから、冷却器２０を左右方向に充分に大きく形成することができ、冷却器２０の上下方向の高さを低くすることができ、冷却器２０の上方の空間を有効に活用することができる。
【００６４】
また、変温室帰還風路２６および冷蔵室帰還風路２５は、変温室１８および冷蔵室１７を冷却した後の比較的高温な冷気が流通する。よって、変温室帰還風路２６および冷蔵室帰還風路２５を流通する冷気と、変温室１８の内部の冷気とでは、温度差が小さい。このことから、変温室帰還風路２６および冷蔵室帰還風路２５を被覆する仕切板材５７は薄くても良い。具体的には、変温室帰還風路２６および冷蔵室帰還風路２５を前方から被覆する仕切板材５７の厚さＬ１０は、変温室帰還風路２６および冷蔵室帰還風路２５を後方から被覆する仕切板材５８の厚さＬ１２よりも薄い。換言すると、冷却室２１と冷蔵室帰還風路２５とを仕切る仕切板材５８は厚く形成されている。このようにすることで、変温室帰還風路２６および冷蔵室帰還風路２５と冷却室２１とを、仕切板材５８で好適に断熱でき、変温室帰還風路２６および冷蔵室帰還風路２５の内部側壁に、結露が発生することを抑止することができる。
【００６５】
変温室送風路２３からは、筒状の送風口４０が変温室１８に突出している。送風口４０の前端部は、変温室１８に内蔵される収納容器４６の内部に配置されている。このようにすることで、収納容器４６の内部に冷気を供給し、収納容器４６の内部に貯蔵された食品等の貯蔵物を好適に冷却することができる。
【００６６】
また、冷却室仕切部材３０の後面を部分的に前方に窪ませることで、送風ファン２８の前方に主送風路２９を形成している。上記した変温室送風路２３、変温室帰還風路２６および冷蔵室帰還風路２５は、幅方向に於いて、主送風路２９よりも外側に形成されている。換言すると、主送風路２９、変温室送風路２３、変温室帰還風路２６および冷蔵室帰還風路２５は、幅方向に於いて互いに重なり合わないように形成されている。このようにすることで、冷却室仕切部材３０の実質的な厚みを一定以上確保することができ、冷却室仕切部材３０による断熱性を確保することができる。
【００６７】
図７を参照して、上記した各風路の他の断面における断面構成を説明する。この図は、図５におけるＢ−Ｂ断面における冷蔵庫１０の断面図である。即ち、この図は、各ダンパが配置される箇所に於ける断面図である。
【００６８】
この図を参照して、冷却室仕切部材３０の内部には、左方から、変温室送風路２３、冷蔵室送風路２２および冷蔵室帰還風路２５が形成されている。また、変温室送風路２３および冷蔵室送風路２２には、それぞれ、変温室ダンパ３７および冷蔵室ダンパ３６が配設されている。また、変温室送風路２３は、前方左方に曲折して延在している。
【００６９】
ここで、変温室送風路２３および冷蔵室送風路２２を前方から覆う仕切板材５７の厚さＬ１１は、冷蔵室帰還風路２５を前方から覆う仕切板材５７の厚さＬ１０よりも薄い。このようにすることで、−数十℃の冷気が流通する変温室送風路２３および冷蔵室送風路２２と、庫内温度が例えば０℃以上５℃以下である変温室１８とを充分に断熱することができる。よって、変温室１８の内部側壁に結露が発生することを抑止することができる。一方、冷蔵室帰還風路２５は、冷蔵室１７を冷却した後の比較的高温の帰還冷気がその内部を流通するので、冷蔵室帰還風路２５と変温室１８とを隔てる仕切板材５７は薄くても良い。
【００７０】
本発明は、上記実施形態に限定されるものではなく、その他、本発明の要旨を逸脱しない範囲で、種々の変更実施が可能である。
【符号の説明】
【００７１】
１０   冷蔵庫
１１   断熱箱体
１２   外箱
１３   内箱
１４   断熱材
１５   断熱扉
１６   貯蔵室
１７   冷蔵室
１８   変温室
１９   冷凍室
２０   冷却器
２１   冷却室
２２   冷蔵室送風路
２３   変温室送風路
２４   冷凍室送風路
２５   冷蔵室帰還風路
２６   変温室帰還風路
２７   冷凍室帰還風路
２８   送風ファン
２９   主送風路
３０   冷却室仕切部材
３１   変温室仕切部材
３２   冷凍室仕切部材
３３   圧縮機
３６   冷蔵室ダンパ
３７   変温室ダンパ
３８   帰還口
３９   帰還口
４０   送風口
４１   帰還口
４３   送風口
４４   棚
４５   収納容器
４６   収納容器
４７   送風口
４９   内部収納容器
５０   内部断熱扉
５１   収納容器
５２   蒸発皿
５４   除霜ヒータ
５５   露受皿
５６   仕切板
５７   仕切板材
５８   仕切板材
５９   区画板材
６０   帰還口
６１   下方壁部
６２   ダクト
６３   開口部
６４   後面
６５   扉パッキング
６６   内部断熱扉パッキング
【図１】
2019045096.tif 000003
【図２】
2019045096.tif 000004
【図３】
2019045096.tif 000005
【図４】
2019045096.tif 000006
【図５】
2019045096.tif 000007
【図６】
2019045096.tif 000008
【図７】
2019045096.tif 000009